(57)【要約】【課題】撮像装置におけるアンテナの受信感度の低下を抑制する。【解決手段】撮像装置１００は、被写体を撮像する撮像部を有する撮像装置本体１０２と、情報を入出力する外部入出力部を有し、撮像装置本体１０２に回動自在に連結された回動部１０４と、を備えることを特徴とする。また、記撮像装置本体１０２はモニタを有することを特徴とする。また、外部入出力部は、アンテナ１３２であることを特徴とする。回動部１０４は、アンテナ１３２を収容し、絶縁性材料で形成された筐体１３０を有することを特徴とする。【選択図】図１
2010056900.tif 000002
【特許請求の範囲】
【請求項１】
被写体を撮像する撮像部を有する撮像装置本体と、
情報を入出力する外部入出力部を有し、前記撮像装置本体に回動自在に連結された回動部と、
を備えることを特徴とする撮像装置。
【請求項２】
前記撮像装置本体はモニタを有することを特徴とする請求項１に記載の撮像装置。
【請求項３】
前記外部入出力部は、アンテナであることを特徴とする請求項１に記載の撮像装置。
【請求項４】
前記回動部は、前記アンテナを収容し、絶縁性材料で形成された筐体を有することを特徴とする請求項３に記載の撮像装置。
【請求項５】
前記外部入出力部は、外部接続端子であることを特徴とする請求項１に記載の撮像装置。
【請求項６】
前記外部入出力部は、音声を出力する音声出力部であることを特徴とする請求項１に記載の撮像装置。
【請求項７】
前記外部入出力部は、音声が入力される音声入力部であることを特徴とする請求項１に記載の撮像装置。
【請求項８】
前記外部入出力部は、リモートコントローラから発信されるリモコン信号を受信するリモコン信号受信部であることを特徴とする請求項１に記載の撮像装置。
【請求項９】
前記外部入出力部として、音声を出力する音声出力部と、音声が入力される音声入力部とが、前記回動部に互いに同じ向きに配されており、
前記音声出力部と前記音声入力部とが、前記撮像装置本体の前方側を向いている場合に、前記撮像部が被写体を撮像する撮像モードに設定し、前記音声出力部と前記音声入力部とが、前記撮像装置本体の後方側を向いている場合に、前記撮像部が撮像した画像を再生する再生モードに設定する撮像／再生モード切替制御部を備えることを特徴とする請求項１に記載の撮像装置。
【請求項１０】
前記外部入出力部として、音声を出力する音声出力部と、音声が入力される音声入力部とが、前記回動部に互いに逆向きに配され、
前記音声入力部が前記撮像装置本体の後方側を向いている場合に、前記音声入力部から入力された音声を記録する音声記録モードに設定する音声記録制御部を備えることを特徴とする請求項１に記載の撮像装置。
【発明の詳細な説明】
【技術分野】
【０００１】
本発明は、撮像装置に関する。本発明は、特に、情報を入出力する外部入出力部を備える撮像装置に関する。
【背景技術】
【０００２】
ＧＰＳ衛星から発信されるＧＰＳ信号を受信することにより現在の位置等の情報を取得して、取得した情報を各種の処理に用いるカメラが知られている（例えば、特許文献１参照）。また、レンズ鏡筒を備える撮影光学系ユニットを撮像装置本体に対して回動可能に連結した所謂スイバル式のカメラが知られている（例えば、特許文献２参照）。
【特許文献１】特開２００８−６７３２２号公報
【特許文献２】特開２００４−２７９４５７号公報
【発明の開示】
【発明が解決しようとする課題】
【０００３】
ところで、カメラは、基本姿勢以外に、縦向き姿勢等の異なる姿勢で使用される場合がある。この場合には、ＧＰＳ信号を受信する受信部がカメラ本体、あるいは撮影者によって遮られることにより、当該受信部の受信感度が低下することがある。
【課題を解決するための手段】
【０００４】
上記課題を解決するために、本発明に係る撮像装置（１００）は、被写体を撮像する撮像部を有する撮像装置本体（１０２）と、情報を入出力する外部入出力部（１３２）を有し、前記撮像装置本体に回動自在に連結された回動部（１０４）と、を備えることを特徴とする。
【０００５】
なお、上記の発明の概要は、必要な特徴の全てを列挙したものではなく、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【０００７】
図１には、一実施形態に係る撮像装置１００を被写体側から見た斜視図にて示している。この図に示すように、撮像装置１００は、撮像装置本体１０２と、撮像装置本体１０２にヒンジ１０８により回動自在に連結された回動部１０４とを備えている。撮像装置本体１０２は、レンズ鏡筒１０６、ＣＣＤ等の撮像素子、及びシャッタ等を有する撮像部、及び制御基板等を内蔵する矩形箱状の筐体１１０を備えている。
【０００８】
筐体１１０の上面１１２には、レリーズスイッチ１２０が配されている。レリーズスイッチ１２０は、被写体側から見て上面１１２の左端部に配された押し下げ操作可能な押釦となっており、このレリーズスイッチ１２０が押し下げ操作された場合に、レリーズ信号が撮像制御部へ送信され、撮影が実施される。
【０００９】
なお、レリーズスイッチ１２０が上向きになっている場合の撮像装置１００の姿勢を、横向きの姿勢といい、レリーズスイッチ１２０が横向きになっている場合の撮像装置１００の姿勢を、縦向きの姿勢という。また、被写体側から撮像装置１００を見た場合における撮像装置１００の左右方向、上下方向をそれぞれ、左右方向、上下方向、及び撮像装置１００におけるレンズ鏡筒１０６側を前方として以下、説明する。
【００１０】
回動部１０４は、筐体１１０の右側に配され、上下方向を長手方向とする矩形箱状の筐体１３０と、筐体１３０に収容され、ＧＰＳ電波を送受信するアンテナ１３２とを備えている。筐体１３０の左側面と筐体１１０の右側面とが突合された状態で、筐体１３０と筐体１１０とがヒンジ１０８により連結されており、筐体１３０と筐体１１０とにより、矩形体状の外形が形成されている。ここで、回動部１０４は、レリーズスイッチ１２０に対して左右反対側に配されているので、レリーズスイッチ１２０を操作する右手により回動されることがなく、レリーズスイッチ１２０の操作性に影響を与えない。また、ヒンジ１０８は、筐体１３０の上下方向中央部に左右方向に沿って配された回転軸１０９を備えており、筐体１３０と筐体１１０との上下方向中央部同士を、左右方向に沿った回動軸周りに相対的に回動可能に連結している。なお、ヒンジ１０８の回転軸１０９は中空に形成されており、内部には、配線が挿通されている。
【００１１】
また、アンテナ１３２は、筐体１３０の内部における上下方向の一端側に配されており、ＧＰＳ衛星あるいはＧＰＳ基地局との間でＧＰＳ電波を送受信して測位データを送受信する。なお、アンテナ１３２が筐体１３０の上部に位置する使用状態を、基本使用状態という。
【００１２】
ここで、筐体１１０は、金属等の導電性を有する材料で形成されているのに対して、筐体１３０は、樹脂等の絶縁性を有する材料で形成されている。このため、アンテナ１３２と撮像装置本体１０２に収容された撮像部、及び制御基板等とは、絶縁性を有する壁により仕切られており、撮像部、及び制御基板等から発せられる電磁波ノイズが、当該壁により遮蔽されている。これにより、アンテナ１３２は電磁波ノイズによる電波障害を受けることなく正常に作動できる。なお、筐体１３０を形成する材料は、ＧＰＳ電波の透過性を確保できる材料でなければならないことから、樹脂で形成することが望ましい。
【００１３】
図２には、撮像装置１００を撮影者側から見た斜視図にて示している。この図に示すように、筐体１１０の背面１１４には、液晶ディスプレイ等のモニタ１１６と、操作スイッチ１１８とが配されている。また、筐体１３０の内部における上下方向の他端側、即ち、アンテナ１３２に対して上下方向の反対側には、ＬＡＮコネクタ１３４が配されている。このＬＡＮコネクタ１３４は、アンテナ１３２が筐体１３０の上部に位置する場合に、撮像装置１００の背面１１４側に位置する。
【００１４】
図３には、撮像装置１００の一の使用形態を被写体側から見た斜視図にて示している。この図に示すように、撮像装置１００を縦向きにすると共に、回動部１０４を、基本使用状態から時計周りに約９０度回動させた場合には、アンテナ１３２が筐体１１０に対して前方側へオフセットする。これにより、アンテナ１３２が、筐体１１０、撮影者から遮られることなく、前方及び上下左右に開放されるので、アンテナ１３２の受信感度を十分に確保できる。
【００１５】
図４には、撮像装置１００の他の使用形態を被写体側から見た斜視図にて示している。この図に示すように、撮像装置１００を横向きにすると共に、回動部１０４を、基本使用状態から約１８０度回動させた場合には、ＬＡＮコネクタ１３４が、筐体１３０の前面上側に位置する。即ち、筐体１３０を回動させることにより、ＬＡＮコネクタ１３４の位置を、撮像装置１００の前面側から後面側へ、もしくは後面側から前面側へ移動させることができ、また、撮像装置１００の下側から上側へ、もしくは上側から下側へ移動させることができる。よって、ＬＡＮコネクタ１３４に接続されるＬＡＮケーブル１３６の位置によって適宜、ＬＡＮコネクタ１３４の位置を変えることができるので、ＬＡＮケーブル１３６にかかるストレスを軽減したり、ＬＡＮケーブル１３６を作業スペース外に纏めたりすることができる。
【００１６】
図５には、他の実施形態に係る撮像装置２００を被写体側から見た斜視図にて示している。この図に示すように、撮像装置２００では、音声が入力されるマイク２０２が筐体１３０に設けられている。このマイク２０２は、筐体１３０の上下方向の一端側、且つ前後方向の一方側に配されている。図示する状態において、マイク２０２が撮像装置２００の前面側を向いていることにより、動画撮影時等に被写体側で発せられた音声をマイク２０２に入力させることができる。なお、マイク２０２が撮像装置２００の前面上部に位置する使用状態を、基本使用状態という。
【００１７】
図６には、撮像装置２００を撮影者側から見た斜視図にて示している。この図に示すように、筐体１３０の上下方向の他端側、即ち、マイク２０２に対して上下方向の反対側には、スピーカ２０４が配されている。このスピーカ２０４は、前後方向の他方側、即ち、マイク２０２に対して前後方向の反対側に配されている。
【００１８】
図７には、撮像装置２００の一の使用形態を被写体側から見た斜視図にて示している。この図に示すように、撮像装置２００を横向きにすると共に、回動部１０４を、基本使用状態から約１８０度回転させた場合には、スピーカ２０４が、撮像装置２００の前面上側に位置する。即ち、筐体１３０を回動させることにより、スピーカ２０４の位置を、撮像装置２００の前面側から後面側へ、もしくは後面側から前面側へ移動させることができ、また、撮像装置２００の下側から上側へ、もしくは上側から下側へ移動させることができる。よって、所謂自分撮り撮影をする場合に、スピーカ２０４が撮影者側を向くことから、スピーカ２０４から撮影者に向けて操作ガイド、シャッタ音等の音声が発せられるので、撮影者は、当該音声を聴き取り易い。
【００１９】
図８には、撮像装置２００の制御系の概略構成をブロック図にて示している。この図に示すように、撮像装置２００は、音声記録制御部２０６と、角度検出部２０８と、音声記録部２１０とを備えている。音声記録制御部２０６は、マイク２０２から入力された音声データを音声記録部２１０に記録する音声記録モード（所謂、アフレコモード）のＯＮとＯＦＦとの切り替えを実行する。また、角度検出部２０８は、回動部１０４の回動位置を検出する。角度検出部２０８は、回動部１０４が基本使用状態の位置から約１８０度回動された場合にＯＮとなり、当該位置以外の回動位置ではＯＦＦとなる、ＯＮ／ＯＦＦスイッチであって、ＯＮ／ＯＦＦ検出信号を音声記録制御部２０６へ出力する。
【００２０】
音声記録制御部２０６は、角度検出部２０８からのＯＮ／ＯＦＦ検出信号に応じて、音声記録部２１０にＯＮ／ＯＦＦ指令信号を出力する。音声記録制御部２０６は、角度検出部２０８からＯＮ信号を受信した場合、音声記録部２１０へＯＮ信号を送信する。また、音声記録制御部２０６は、角度検出部２０８からＯＦＦ信号を受信した場合、音声記録部２１０へＯＦＦ信号を送信する。音声記録部２１０は、ＯＮ信号を受信した場合、音声記録モードをＯＮにする一方、ＯＦＦ信号を受信した場合、音声記録モードをＯＦＦにする。
【００２１】
即ち、マイク２０２が、撮像装置２００の後方側を向いている場合に、音声記録モードに設定される。これにより、操作者が音声を記録するべく、マイク２０２を操作者側に向けた場合には、自動的に音声記録モードに設定され、操作者が発する音声が音声記録部２１０に記録される。
【００２２】
図９には、他の実施形態に係る撮像装置３００を被写体側から見た斜視図にて示している。この図に示すように、撮像装置３００では、マイク２０２とスピーカ２０４とが、前後方向の同じ面側に配されている。
【００２３】
図１０には、撮像装置３００の制御系の概略構成をブロック図にて示している。この図に示すように、撮像装置３００は、撮像／再生モード切替部３０６と、角度検出部３０８と、撮像制御部３１０と、モニタ制御部３１２とを備えている。撮像／再生モード切替部３０６は、撮像部が被写体を撮像する撮像モードと、撮像されメモリに記憶されている画像を再生する再生モードとの切り替えを実施する。再生画像は、モニタ１１６に表示される。また、角度検出部３０８は、回動部１０４の回動位置を検出する。角度検出部３０８は、回動部１０４が基本使用状態の位置から約１８０度回動された場合にＯＮとなり、当該位置以外の回動位置ではＯＦＦとなる、ＯＮ／ＯＦＦスイッチであって、ＯＮ／ＯＦＦ検出信号を撮像／再生モード切替部３０６へ出力する。
【００２４】
撮像／再生モード切替部３０６は、角度検出部３０８からのＯＮ／ＯＦＦ検出信号に応じて、撮像制御部３１０、及びモニタ制御部３１２にＯＮ／ＯＦＦ指令信号を出力する。撮像／再生モード切替部３０６は、角度検出部３０８からＯＮ信号を受信した場合、撮像制御部３１０へＯＦＦ信号を送信する一方、モニタ制御部３１２へＯＮ信号を送信する。また、撮像／再生モード切替部３０６は、角度検出部３０８からＯＦＦ信号を受信した場合、撮像制御部３１０へＯＮ信号を送信する一方、モニタ制御部３１２へＯＦＦ信号を送信する。撮像制御部３１０は、ＯＮ信号を受信した場合、撮像モードをＯＮにする一方、ＯＦＦ信号を受信した場合、撮像モードをＯＦＦにする。また、モニタ制御部３１２は、ＯＮ信号を受信した場合、再生モードをＯＮにする一方、ＯＦＦ信号を受信した場合、再生モードをＯＦＦにする。
【００２５】
即ち、マイク２０２とスピーカ２０４とが、撮像装置１００の後方側を向いている場合に再生モードに設定され、マイク２０２とスピーカ２０４とが、撮像装置１００の前方側を向いている場合、及び再生モードに設定される位置以外の回動位置に位置する場合に、撮像モードに設定される。これにより、撮影状態において、被写体側からマイク２０２へ音声を入力できると共に、スピーカ２０４から被写体側へ向けて音声を出力でき、再生状態において、操作者側からマイク２０２へ音声を入力できると共に、スピーカ２０４から操作者側へ音声を出力できる。
【００２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、本実施形態では、情報が入出力される外部入出力部を、アンテナ１３２、ＬＡＮコネクタ１３４、マイク２０２、スピーカ２０４等としたが、リモートコントローラから発信される赤外線信号（即ち、リモコン信号）を受信するリモコン受信部としてもよい。
【図面の簡単な説明】
【００２７】
【図１】撮像装置１００を被写体側から見た斜視図にて示す。
【図２】撮像装置１００を撮影者側から見た斜視図にて示す。
【図３】撮像装置１００の一の使用形態を被写体側から見た斜視図にて示す。
【図４】撮像装置１００の他の使用形態を被写体側から見た斜視図にて示す。
【図５】撮像装置２００を被写体側から見た斜視図にて示す。
【図６】撮像装置２００を撮影者側から見た斜視図にて示す。
【図７】撮像装置２００の一の使用形態を被写体側から見た斜視図にて示す。
【図８】撮像装置２００の制御系の概略構成をブロック図にて示す。
【図９】撮像装置３００を被写体側から見た斜視図にて示す。
【図１０】撮像装置３００の制御系の概略構成をブロック図にて示す。
【符号の説明】
【００２８】
１００  撮像装置、１０２  撮像装置本体、１０４  回動部、１０６  レンズ鏡筒、１０８  ヒンジ、１０９  回転軸、１１０  筐体、１１２  上面、１１４  背面、１１６  モニタ、１１８  操作スイッチ、１２０  レリーズスイッチ、１３０  筐体、１３２  アンテナ、１３４  ＬＡＮコネクタ、１３６  ＬＡＮケーブル、２００  撮像装置、２０２  マイク、２０４  スピーカ、２０６  音声記録制御部、２０８  角度検出部、２１０  音声記録部、３００  撮像装置、３０６  撮像／再生モード切替部、３０８  角度検出部、３１０  撮像制御部、３１２  モニタ制御部
【図１】
2010056900.tif 000003
【図２】
2010056900.tif 000004
【図３】
2010056900.tif 000005
【図４】
2010056900.tif 000006
【図５】
2010056900.tif 000007
【図６】
2010056900.tif 000008
【図７】
2010056900.tif 000009
【図８】
2010056900.tif 000010
【図９】
2010056900.tif 000011
【図１０】
2010056900.tif 000012